(57)【要約】【課題】治具や余分な部品を必要とすること無しに、簡易に前面パネルの交換をすることができるようにすることを課題とする。【解決手段】筐体２内に記録媒体１４ａに対する信号の書き込みを行う信号書き込み手段及び／又は信号の読取を行う信号読取手段を備え、上記筐体の前面が記録媒体の筐体に対する挿脱を行う挿脱口４を有する前面パネル３によって覆われた記録媒体ドライブ装置１であって、上記前面パネルは上記筐体に係合孔１３と係合突起１２との係合によって着脱自在に保持され、上記係合突起は２つの傾斜面１２ａ、１２ｂを有し、上記パネルを筐体の方に移動させることによって上記係合が成されると共に、上記前面パネルを筐体から離す方向に移動させる力は傾斜面１２ｂによって上記係合を解除する方向に作用するように構成された。【選択図】　　　　　図５
2004145936.tif 000002
【特許請求の範囲】
【請求項１】
筐体内に記録媒体に対する信号の書き込みを行う信号書き込み手段及び／又は信号の読取を行う信号読取手段を備え、上記筐体の前面が記録媒体の筐体に対する挿脱を行う挿脱口を有する前面パネルによって覆われた記録媒体ドライブ装置であって、
上記前面パネルは上記筐体に係合によって着脱自在に保持され、
上記パネルを筐体の方に移動させることによって上記係合が成されると共に、上記前面パネルを筐体から離す方向に移動させる力は上記係合を解除する方向に作用するように構成された
ことを特徴とする記録媒体ドライブ装置。
【請求項２】
上記係合は前面パネルと筐体の一方に設けられた係合孔と他方に設けられた係合突起との凹凸嵌合によって成され、
上記係合突起又は係合孔の開口縁には前面パネルを筐体から離す方向に移動させる力によって係合突起又は係合孔を係合孔又は係合突起から離間させる方向に移動させる傾斜面が形成された
ことを特徴とする請求項１に記載の記録媒体ドライブ装置。
【請求項３】
上記筐体内に前方から押し込まれることによって上記筐体内に装着された記録媒体を上記挿脱口から排出させるイジェクト動作を誘発するスライダーを備え、
上記スライダーに係合によって着脱自在に取り付けられ上記前面パネルから前方に突出したイジェクトボタンを備え、
上記イジェクトボタンをスライダーの方に移動させることによって上記係合が成されると共に、上記イジェクトボタンをスライダーから離す方向に移動させる力は上記係合を解除する方向に作用するように構成された
ことを特徴とする請求項１に記載の記録媒体ドライブ装置。
【請求項４】
上記係合はイジェクトボタンとスライダーの一方に設けられた係合孔と他方に設けられた係合突部との凹凸嵌合によって成され、
上記係合突部又は係合孔の開口縁にはイジェクトボタンをスライダーから離す方向に移動させる力によって係合突部又は係合孔を係合孔又は係合突部から離間させる方向に移動させる傾斜面が形成された
ことを特徴とする請求項３に記載の記録媒体ドライブ装置。
【発明の詳細な説明】
【０００１】
【発明の属する技術分野】
本発明は新規な記録媒体ドライブ装置に関する。詳しくは、内部に記録媒体への信号書き込み手段及び／又は信号読取手段を備えた筐体の前面を覆うと共に記録媒体を挿脱するための挿脱口を備えた前面パネルの交換を容易にする技術に関する。
【０００２】
【従来の技術】
パーソナルコンピューター等の情報処理機器において、外部記憶装置として、フレキシブルディスクドライブ装置、光ディスクドライブ装置、光磁気ディスクドライブ装置等の各種記録媒体ドライブ装置が使用されている。
【０００３】
上記した各種記録媒体ドライブ装置は、外形寸法等が規格化されていて、使用者において交換や増設をすることができるようになっていたり、また、パーソナルコンピューターにあってはマザーボードはじめ内蔵型周辺機器に所望のものを選択して組み立てる、いわゆる自作ＰＣの製作も盛んである。
【０００４】
そして、例えば、パーソナルコンピューターにおいては、筐体に内蔵型周辺機器を収容するための「ベイ」と称される空間が用意されており、所望のベイに所望の周辺機器を装着することができるようになっている。上記ベイのうち、リムーバブルタイプの記録媒体ドライブ装置を収納するものは筐体外からアクセスできるようにベイの前面が開口されていて、該開口がカバーによって塞がれている。従って、新たなリムーバブルタイプの記録媒体ドライブ装置を搭載するときには、上記カバーを取り外してベイ内に装着された記録媒体ドライブ装置の前面を筐体外に臨ませて、記録媒体の挿脱をすることができるようにする。
【０００５】
そして、記録媒体ドライブ装置は、筐体内に記録媒体に対する信号の書き込みを行う信号書き込み手段及び／又は信号の読取を行う信号読取手段を備え、上記筐体の前面が記録媒体の筐体に対する挿脱を行う挿脱口を有する前面パネルによって覆われている。従って、上記したようにして記録媒体ドライブ装置をベイに装着すると、上記前面パネルがパーソナルコンピュータ等の情報処理機器の筐体の前面に露出することになる。
【０００６】
上記したように、情報処理機器に記録媒体ドライブ装置を増設したりあるいは交換した場合に、当該増設や交換した記録媒体ドライブ装置の前面パネルの色やデザインが当該情報処理機器の筐体や既設の周辺機器の色やデザインと整合していないと当該情報処理機器の見栄えが悪くなる。
【０００７】
そこで、前面パネルを筐体に対して、着脱自在にする（特許文献１参照）と共に、デザインや色の異なる前面パネルを幾つか用意しておき、装着する情報処理機器の筐体や既設の周辺機器対応させて前面パネルを選択できるようにしておくことが考えられる。
【０００８】
【特許文献１】
特開平３−１８５８９９号公報（図１、図２、２ページ）
【０００９】
【発明が解決しようとする課題】
ところで、特許文献１に示された前面パネル（オプションプロック（２）の）は一端部を筐体に引っ掛け（図２のＡ部参照）、他端部をネジ３によって固定する構造であり、前面パネルの固定のためにはネジという前面パネルと筐体以外の部品及び治具（ドライバー）が必要である。そのため、簡易に前面パネルの交換をすることができない。
【００１０】
そこで、本発明は、治具や余分な部品を必要とすること無しに、簡易に前面パネルの交換をすることができるようにすることを課題とする。
【００１１】
【課題を解決するための手段】
本発明記録媒体ドライブ装置は、上記した課題を解決するために、前面パネルは記録媒体に対する信号の書き込みを行う信号書き込み手段及び／又は信号の読取を行う信号読取手段を収容した筐体に係合によって着脱自在に保持され、上記パネルを筐体の方に移動させることによって上記係合が成されると共に、上記前面パネルを筐体から離す方向に移動させる力は上記係合を解除する方向に作用するように構成されたものである。
【００１２】
従って、本発明記録媒体ドライブ装置にあっては、前面パネルを筐体の方に移動させるだけで前面パネルと筐体との係合が成され、前面パネルを筐体から離す方向に移動させると、前面パネルと筐体との係合が解除される。
【００１３】
【発明の実施の形態】
以下に、本発明記録媒体ドライブ装置の実施の形態について添付図面を参照して説明する。なお、以下に示す実施の形態は本発明をフレキシブルディスクドライブ装置に適用したものであるが、本発明は、例えば、光ディスクドライブ装置、光磁気ディスクドライブ装置等の各種記録媒体ドライブ装置に適用することができることは勿論である。
【００１４】
図１にこの実施の形態に係る記録媒体ドライブ装置であるフレキシブルドライブ装置１の外観を示す。
【００１５】
フレキシブルドライブ装置１は、内部にフレキシブルディスクに対する信号の書き込み及び読取を行う図示しない信号書き込み手段及び信号読取手段を備えた筐体２を備えており、該筐体２の前面は前面パネル３によって覆われている。他の種類の記録媒体ドライブ装置には、信号読取手段のみを備え、信号記録手段を備えていないものもある。なお、本明細書において使用する「Ａ及び／又はＢ」なる表現は、「Ａ及びＢ」、「Ａ又はＢ」という２つの概念を選択的に示すものとして用いている。
【００１６】
前面パネル３は、横長の長方形状をしており、合成樹脂によって形成されている。前面パネル３には横長の挿脱口４が形成されており、該挿脱口４を開閉するカバー５が設けられている。図３及び図９乃至図１１で分かるように、該カバー５は上記挿脱口４より一回り大きな板状をしており、上縁部に左右方向における中央部を挟んで左右に離間して２つの切欠部６、６が形成され、該切欠部６、６の中央寄りの側縁から軸７、７が突設されている。前面パネル３の背面の上縁寄りの位置に左右に離間して２つの支持片８、８が突設されており、該支持片８、８には支持孔８ａ、８ａが形成されている。そして、該支持孔８ａ、８ａに上記カバー５の軸７、７が回動可能に挿通され、これによって、カバー５は前面パネル３に回動自在に支持される。上記カバー５は捩じりコイルバネ９によって閉塞方向へ付勢される。捩じりコイルバネ９のコイル部９ａはカバー５の一方の軸７に外嵌され、捩じりコイルバネ９の一方の腕部９ｂがカバー５の背面に弾接され、捩じりコイルバネ９の他方の腕部９ｃが前面パネル３の上縁から後方へ僅かに突出された上縁部３ａの下面に弾接される。これによって、カバー５は前面パネル３の挿脱口４を背面側から閉塞する閉塞方向に付勢される。
【００１７】
前面パネル３の挿脱口４が形成された部分の下方に横長の矩形をしたボタン挿通孔１０が形成されている。
【００１８】
図２及び図３で分かるように、前面パネル３の左右両側縁の上下両端寄りの位置からは左右各２つずつの係合片１１、１１、・・・が後方へ向けて突設され、これら係合片１１、１１、・・・の先端部の外側の面には係合突起１２、１２、・・・が突設されている。また、図５で分かるように、これら係合突起１２は上方から見て三角形をしており、前後それぞれに傾斜面１２ａ、１２ｂを有する。すなわち、係合片１２の先端側には先端側に行くに従って係合片に近づく傾斜面１２ａが形成され、基端側、すなわち、前面パネル３に近い側には基端側に行くに従って係合片１２に近づく傾斜面１２ｂが形成されている。
【００１９】
そして、図１乃至図３及び図５で分かるように、上記筐体２の側面壁２ａ、２ａの前端部の上下両端寄りの位置にはそれぞれ係合孔１３、１３、・・・が形成されている。
【００２０】
そして、前面パネル３は、係合片１１、１１、・・・の係合突起１２、１２、・・・が筐体２の係合孔１３、１３、・・・に係合することによって、筐体２の前面開口を覆うように筐体２に取り付けられる。そして、前面パネル３の筐体２への取付について図５を参照して説明する。
【００２１】
先ず、前面パネル３の係合片１１、１１、・・・の高さが筐体２の係合孔１３、１３、・・・の高さと同じになるようにして、前面パネル３を筐体に近付けて行き（図５（ａ）参照）、係合片１１、１１、・・・の先端部に設けられた係合突起１２、１２、・・・の先端側傾斜面１２ａ、１２ａ、・・・を筐体２の側面壁２ａ、２ａ、・・・の前端に当接する（図５（ｂ）参照）。なお、図５では筐体２の一方の側の側面壁２ａ、一つの係合孔１３及び一つの係合片１１のみを示す。
【００２２】
そして、図５（ｂ）に示す状態から、前面パネル３を筐体２側、すなわち、図５（ｃ）の矢印Ｒ方向へ移動させると、先端側傾斜面１２ａが側面壁２ａの前端を滑って移動するので、係合片１１の先端部が図５（ｃ）中矢印ＣＣＷ方向に力を受けて係合片１１が撓む（図５（ｃ）参照）。そして、係合片１１が図５（ｃ）の矢印ＣＣＷ方向に撓むことによって、係合突起１１が筐体２の側面壁２ａの内側面を滑るようにして前面パネル３は図５（ｃ）中矢印Ｒ方向に移動する。
【００２３】
係合突起１２が係合孔１３の位置に達すると、図５（ｃ）中矢印ＣＣＷ方向に撓んでいた係合片１１が元の状態に戻り、係合突起１２が係合孔１３に係合し、これによって、前面パネル３は筐体２にその前面を覆うように取り付けられる。
【００２４】
上記したようにして、前面パネル３の係合突起１２、１２、・・・が筐体２の係合孔１３、１３、・・・に係合することによって、前面パネル３が筐体２に筐体２の前面を覆うように取り付けられる。
【００２５】
前面パネル３を筐体２から取り外すときは、前面パネル３を前方へ、すなわち、図５（ｅ）中矢印Ｆ方向に移動させるように少し強く力を加えると、係合突起１２の基端側傾斜面１２ｂが係合孔１３の前側縁１３ａを滑って行こうとするため、係合片１１はその先端部が図５（ｅ）中矢印ＣＣＷ方向に移動するように力を受けて撓む（図５（ｅ）参照）。
【００２６】
係合片１１がその先端が図５（ｅ）中矢印ＣＣＷ方向に移動するように撓むことによって、係合突起１２の係合孔１３との係合が解除される。これによって、係合突起１２は筐体２の側面壁２ａの内側面を滑って矢印Ｆ方向へ移動することができ、依って、前面パネル３を筐体２から取り外すことができる。
【００２７】
前面パネル３は図５に示した上記方法と別の方法によっても筐体２に着脱することができる。
【００２８】
前面パネル３を筐体２に取り付けるときは、まず、前面パネル３の一方の側に形成された係合片１１、１１の係合突起１２、１２を筐体２の一方の側の側面壁２ａに形成された係合孔１３、１３に予め係合させておき、前面パネル３の他方の側に形成された係合片１１、１１の係合突起１２、１２の先端側傾斜面１２ａ、１２ａを筐体２の他方の側の側面壁２ａの前端に当接する（図６の実線参照）。
【００２９】
図６に実線で示す状態から前面パネル３の他方の側を後方へ押し込む（図６の矢印Ｒ参照）。これによって、他方の側の係合突起１２、１２の先端側傾斜面１２ａ、１２ａが筐体２の側面壁２ａの前端を滑るように移動するので、係合突起１２、１２が形成された部分が矢印ＣＣＷ方向への移動力を受け、係合片１１、１１が撓む。これによって、係合突起１２、１２が側面壁２ａの内側面を滑りながら後方へ移動して行く（図６の一点鎖線参照）。
【００３０】
そして、他方の側の係合突起１２、１２が他方の側の係合孔１３、１３の位置に到達すると、係合突起１２、１２が係合孔１３、１３に係合し、これによって、前面パネル３が筐体２に取り付けられる（図６の二点鎖線参照）。
【００３１】
また、前面パネル３を筐体から取り外すときは、前面パネル３の他方の側を筐体から引っ張り出すように、すなわち、図６中矢印Ｆの方向に力を加える。これによって、他方の側の係合突起１２、１２の基端側傾斜面１２ｂ、１２ｂが係合孔１３、１３の前側縁１３ａ、１３ａを滑るように移動するため、係合片１１、１１が矢印ＣＣＷ方向に撓み、一点鎖線に示す状態を経て係合片１１、１１が筐体２から外れる。これによって、前面パネル３を筐体２から取り外すことができる。
【００３２】
上記したように、前面パネル３は、これを位置合わせをして筐体２の方へ押し込むだけで、簡単に筐体２に取り付けることができ、また、筐体２から引っ張り出すように力を加えるだけで簡単に筐体２から取り外すことができる。しかも、前面パネル３の筐体２への着脱には何ら治具や前面パネル３と筐体２以外の部品を必要としない。
【００３３】
従って、筐体２に適合する何種類かの前面パネル３を用意しておくことによって、所望の前面パネルに容易に取り替えることができる。
【００３４】
フレキシブルディスクドライブ装置１にあっては円板状をした磁気ディスクであるフレキシブルディスク１４ａを回転可能に収容したフレキシブルディスクカートリッジ１４（図１参照、以下、「カートリッジ」という。）を前面パネル３の挿脱口４を介して筐体２内に装着し、該装着されたカートリッジ１４内のフレキシブルディスク１４ａに対して信号の書き込み及び読取が為される。そして、フレキシブルディスク１４ａに対する信号の書き込み及び／又は読取が終了すると、カートリッジ１４を筐体２内から排出するイジェクトが為される。そのため、フレキシブルディスクドライブ装置１には上記イジェクト動作を誘発するためのスライダーと該スライダーを押圧するためのイジェクトボタンが備えられる。
【００３５】
図１及び図９乃至図１１で分かるように、上記イジェクトボタン１５は前面パネル３に形成されたボタン挿通孔１０を挿通されて前端部が前面パネル３より前方に突出した状態とされる。筐体２内には上記カートリッジ１４の装着とイジェクトを制御するためのスライダー１６が設けられており、イジェクトボタン１５はスライダー１６の前端部に取り付けられ、スライダー１６と共に移動するようになっている。
【００３６】
図４で分かるように、スライダー１６は底面板１７と該底面板１７の左右両側縁から上方へ突出した側面板１８、１８とが一体に形成されて成る。左右の側面板１８、１８には前後に離間して２つづつのスリット１９、１９、・・・が形成されている。各スリット１９は側面板１８の上端寄りに位置し水平に延びる水平部１９ａと該水平部１９ａの後端から後下がりに延びる傾斜部１９ｂとを有する。底面板１７の一方の側部に寄った位置には前後方向に延びる配置スリット２０が形成されており、配置スリット２０の後端に隣接してバネ掛け片２１が形成されている。
【００３７】
図７で分かるように、スライダー１６の底面板１７の前縁の一方の側部に寄った位置にはボタン支持片２２が前方に向かって突設されている。ボタン支持片２２の前方へ向かって延びる主片２２ａの前端からは下方へ突出した前面片２２ｂが形成され、該前面片２２ｂの幅が主片２２ａの幅より僅かに狭くされることによって主片２２ａの両側縁に係合縁２２ｃ、２２ｃが形成される。また、主片２２ａのほぼ中央部には上方へ打ち出し状に形成された係合突部２３が形成されている。該係合突部２３は側方から見て台形状をしており、中央の水平部２３ａ、該水平部２３ａの前端から前下がりに延びる前側傾斜面２３ｂ及び水平部２３ａの後端から後下がりに延びる後側傾斜面２３ｃを有する。
【００３８】
図４で分かるように、筐体２内にはシャーシ２４が固定されており、該シャーシ２４に上記スライダー１６が前後方向に移動可能に支持されている。シャーシ２４には底面部２５と該底面部２５の両側縁から上方へ突出した側面部２６、２６を有する。そして、底面部２５の前端寄りの位置には上方へ突出したバネ掛け片２５ａが形成されており、側面部２６、２６の前後方向におけるほぼ中央部には上下方向に延びる案内スリット２６ａ、２６ａが形成されている。
【００３９】
上記スライダー１６は図示しない手段によってシャーシ２４に前後方向に移動自在に支持され、スライダー１６のバネ掛け片２１とシャーシ２４のバネ掛け片２５ａとの間に引っ張りコイルバネ２７が張設され、これによって、シャーシ２４は前方へ、すなわち、図４中矢印Ｆ方向に付勢される。なお、引張コイルバネ２７はスライダー１６の底面板１７に形成された配置スリット２０内に配置される。
【００４０】
図４及び図９乃至図１１で分かるように、上記カートリッジ１４を保持して上下に移動するカートリッジホルダー２８がシャーシ２４に上下動可能に支持される。カートリッジホルダー２８は天板２９と該天板２９の両側縁から下方へ突出した側板３０、３０と、側板３０、３０の下縁から互いに向かい合う方向に突出した支え部３１、３１とが一体に形成されて成る。側板３０、３０の前後方向における中央部の上端からは被案内片３０ａ、３０ａが側方へ突出し、また、側板３０、３０の前後両端寄りの位置には被案内ピン３０ｂ、３０ｂ、・・・が側方へ突出している。そして、カートリッジホルダー２８の被案内片３０ａ、３０ａはシャーシ２４の案内スリット２６ａ、２６ａに摺動自在に係合され、これによって、カートリッジホルダー２８は上下方向にのみ移動可能とされる。また、カートリッジホルダー２８の被案内ピン３０ｂ、３０ｂ、・・・はスライダー１６のスリット１９、１９、・・・と摺動自在に係合され、これによって、スライダー１６の前後方向への移動に伴ってカートリッジホルダー２８が上下方向に移動することになる。
【００４１】
図３、図７及び図８で分かるように、上記イジェクトボタン１５は合成樹脂で形成されており、ボタン部３２と該ボタン部３２の後端から後方へ突出した連結部３３とが一体に形成されて成る。ボタン部３２は前面パネル３のボタン挿通孔１０を挿通され得る大きさのブロック状をしており、連結部３３は上面部３３ａと該上面部３３ａの左右両側部から下方へ突出した側面部３３ｂ、３３ｂとから成る。そして、上面部３３ａのほぼ中央部には係合孔３４が形成され、側面部３３ｂ、３３ｂ′の互いに対向する面には前後方向に延び後端に達する係合溝３５、３５が形成されている。なお、側面部３３ｂ、３３ｂ′の一方３３ｂ′は上面部３３ａの長さのほぼ半分くらいに形成されているが、他方３３ｂは上面部３３ａの先端近くまで形成されている。そこで、上面部３３ａに撓み性を持たせるために、他方の側面部３３ｂと上面部３３ａとの間にスリット３３ｃが形成されている。
【００４２】
上記イジェクトボタン１５はスライダー１６に次のようにして取り付けられる。
【００４３】
先ず、イジェクトボタン１５をスライダー１６のボタン支持片２２に対して、イジェクトボタン１５の係合溝３５、３５の高さがスライダー１６のボタン支持片２２の係合縁２２ｃ、２２ｃと同じ高になるようにして、位置合わせする（図７（ａ）、図８（ａ）参照）。
【００４４】
イジェクトボタン１５をボタン支持片２２に対して位置合わせした状態から、イジェクトボタン１５をスライダー１６の方、すなわち、図７（ｂ）中矢印Ｒ方向に移動させると、イジェクトボタン１５の係合溝３５、３５にボタン支持片２２の係合縁２２ｃ、２２ｃが係合されていく（図７（ｂ）、図８（ｃ）参照）。なお、図８（ｂ）に示すように、イジェクトボタン１５がボタン支持片２２に対して正対していない状態にあると、イジェクトボタン１５の係合溝３５、３５にボタン支持片２２の係合縁２２ｃ、２２ｃが係合されていかない。
【００４５】
図７（ｂ）及び図８（ｃ）に示す状態からさらにイジェクトボタン１５を図７（ｃ）中矢印Ｒ方向に移動させて行くと、イジェクトボタン１５の上面部３３ａの先端がボタン支持片２２の係合突部２３の前側傾斜面２３ｂに当接し、且つ、該傾斜面２３ｂを滑っていくので、上面部３３ａは先端部が図７（ｃ）中矢印ＣＷ方向に移動するように撓む。これによって、上面部３３ａの係合孔３４から先の部分が係合突部２３の水平部２３ａに乗り上げて行く（図７（ｃ）参照）。
【００４６】
イジェクトボタン１５がさらに矢印Ｒ方向に移動して行くと、スライダー１６のボタン支持片２２に設けられた係合突部２３がイジェクトボタン１５の係合孔３４に完全に係合し（図７（ｄ）、図８（ｄ）参照）、これによって、イジェクトボタン１５はスライダー１６に取り付けられる。
【００４７】
イジェクトボタン１５をスライダー１６から取り外すときは、イジェクトボタン１５を前方へ、すなわち、図７（ｅ）中矢印Ｆ方向に移動させるように少し強く力を加えると、係合孔３４の先端側縁３４ａが係合突部２３の後側傾斜面２３ｃを滑ろうとするため、イジェクトボタン１５の連結部３３の上面部３３ａはその先端部が図７（ｅ）中矢印ＣＷ方向に移動するように力を受けて撓む（図７（ｅ）参照）。
【００４８】
上面部３３ａがその先端が図７（ｅ）中矢印ＣＷ方向に移動するように撓むことによって、係合孔３４と係合突部２３との係合が解除される。これによって、イジェクトボタン１５は矢印Ｆ方向へ移動することができ、依って、イジェクトボタン１５をスライダー１６から取り外すことができる。
【００４９】
このように、イジェクトボタン１５を所定の方向に移動させるだけで、何ら治具を必要とせずに、また、イジェクトボタン１５とスライダー１６以外の部品を使用すること無しに、イジェクトボタン１５をスライダー１６に簡単に着脱することができる。
【００５０】
従って、筐体２や前面パネル３に適合する何種類かのイジェクトボタン１５を用意しておくことによって、所望のイジェクトボタン１５に容易に取り替えることができる。
【００５１】
次に、上記したカートリッジ１４の装着とイジェクトについて、主として図９乃至図１１を参照して簡単に説明する。
【００５２】
図１に示すように、カートリッジ１４をフレキシブルディスクドライブ装置１の挿脱口４に位置合わせした状態から、カートリッジ１４を挿脱口４に挿入して行くと、カートリッジ１４の先端で挿脱口４を覆っているカバー５が後方へ押されて、これによってカバー５は捩りコイルバネ９の付勢力に抗して後方へ、すなわち、図９中矢印Ａ方向へ回動されて、挿脱口４が開口される。これによって、カートリッジ１４はカートリッジホルダー２８内、すなわち、天板２９と側板３０、３０と支え部３１、３１とによって囲まれた空間内に挿入されて行く（図９参照）。なお、カートリッジ１４が装着されていない状態では、スライダー１６は移動範囲の後端に位置していて、カートリッジホルダー２８の被案内ピン３０ｂ、３０ｂ、・・・はスライダー１６のスリット１９、１９、・・・の水平部１９ａ、１９ａ、・・・に位置しているので、この結果、カートリッジホルダー２８は移動範囲の上端に位置していて、挿脱口４と同じ高さに位置している。なお、スライダー１６は移動範囲の後端にて図示しないロック手段によってロックされている。
【００５３】
カートリッジ１４がカートリッジホルダー２８の奥に移動して行くに従って、カートリッジ１４のシャッター１４ｂが開放方向、すなわち、図１中矢印Ｂ方向に移動して上下のヘッドアクセス用の窓１４ｃ、１４ｃ（図１には上側のもののみ示す）が開放され、これによって、信号読取手段及び信号書き込み手段である図示しない磁気ヘッドがフレキシブルディスク１４ａに接触又は近接してフレキシブルディスク１４ａに対する信号の読取及び書き込みをすることができるようになる。
【００５４】
そして、カートリッジ１４がカートリッジホルダー２８の奥まで挿入される（図１０参照）と、スライダー１６の移動範囲の後端でのロックが解除され、引張コイルバネ２７の付勢力によってスライダー１６が一気に移動範囲の前端まで図１０中矢印Ｆで示す方向に移動する（図１１参照）。そして、スライダー１６が移動範囲の後端から前端まで移動する間に、カートリッジホルダー２８の被案内ピン３０ｂ、３０ｂ、・・・はスライダー１６のスリット１９、１９、・・・の傾斜部１９ｂ、１９ｂ、・・・を上端から下端まで移動し、これによって、カートリッジホルダー２８は移動範囲の下端まで移動し、カートリッジホルダー２８に保持されているカートリッジ１４内のフレキシブルディスク１４ａは図示しないディスク回転機構に装着され、該ディスク回転機構によって回転され得る状態となる。そして、上記したスライダー１６の移動範囲の前端への移動によって、該スライダー１６に取り付けられているイジェクトボタン１５の前面パネル３から前方への突出量が大きくなる（図９の状態と図１１の状態を比較）。なお、カートリッジ１４がカートリッジホルダー２８の奥まで挿入されると、カートリッジ１４をカートリッジホルダー２８から前方へ排出する図示しないイジェクト機構に排出力がチャージされる。なお、このとき、カバー５の下端部はカートリッジ１４の上面に弾接した状態となっている。
【００５５】
以上のようにして、カートリッジ１４のフレキシブルディスクドライブ装置１への装着、すなわち、記録媒体であるフレキシブルディスク１４ａのローディングが完了し、該フレキシブルディスク１４ａに対する信号の書き込み及び読取ができる状態になる。
【００５６】
フレキシブルディスク１４ａに対する信号の書き込み及び／又は読取が終了して、カートリッジ１４を取り出すときは、前面パネル３の前面から突出しているイジェクトボタン１５を押し込む、すなわち、図１１中矢印Ｃで示す方向に移動させる。
【００５７】
上記イジェクトボタン１５の押込によって、スライダー１６が後方へ、すなわち、図１１中矢印Ｒ方向へ移動する。スライダー１６の後方への移動に従って、カートリッジホルダー２８の被案内ピン３０ｂ、３０ｂ、・・・がスライダー１６のスリット１９、１９、・・・と係合している位置が傾斜部１９ｂ、１９ｂ、・・・の下端から上端に向かって移動して行き、これによって、カートリッジホルダー２８は上方へ移動して行く。
【００５８】
そして、スライダー１６が移動範囲の後端に達するまでイジェクトボタン１５が押圧されると、スライダー１６が該移動範囲の後端にロックされ、カートリッジホルダー２８は移動範囲の上端に達すると共に、上記図示しないイジェクト機構のチャージが開放され、これによって、カートリッジ１４はカートリッジホルダー２８から排出される方向に移動されて、カートリッジ１４の一部が前面パネル３の挿脱口４から前方へ突出される。なお、カートリッジ１４が排出方向に移動されるときに、シャッター１４ｂが閉塞位置、すなわち、図１に示す状態に戻される。
【００５９】
そこで、カートリッジ１４の挿脱口４から突出している部分を把持して引き出すことによって、カートリッジ１４をフレキシブルディスクドライブ装置１から取り出すことができる。そして、カートリッジ１４をフレキシブルドライブ装置１から取り出すと、カバー５が捩りコイルバネ９の付勢力によって図９中矢印Ｄ方向に回動して挿脱口４を閉塞する。
【００６０】
なお、上記したフレキシブルディスクドライブ装置１では、前面パネル３を筐体２に取り付けるのに、前面パネル３に係合突起１２、１２、・・・を設け、該係合突起１２、１２、・・・を筐体２に設けた係合孔１３、１３、・・・に係合することによって、前面パネル３を筐体２に取り付けていた。しかしながら、前面パネル３に係合孔を形成し、筐体２に係合突起を形成しても、同様の効果を奏することができる。図１２に示す変形例は、筐体２の側面壁２ａに係合突起３６、３６、・・・を形成し、前面パネル３の係合片１１、１１、・・・に係合孔３７、３７、・・・を形成したものである。
【００６１】
この変形例において、前面パネル３を矢印Ｒ方向に移動させて行くと、係合片１１は筐体２の側面壁２ａの内面を滑って行き、係合片１１の先端が係合突起３６の前端側傾斜面３６ａに当接し、これを滑っていくので、係合片１１は矢印ＣＣＷ方向に撓み（図１２の一点鎖線参照）、やがて、係合孔３７が係合突起３６と係合する。
【００６２】
前面パネル３を筐体２から取り外すときは、前面パネル３を矢印Ｆ方向に移動させるように力を加えると、係合孔３７の先端側縁３７ａが係合突起３６の後端側傾斜面３６ｂを滑って行こうとするために、係合片１１は矢印ＣＣＷ方向に撓み、この結果、係合孔３７と係合突起３６との係合が解かれ、前面パネル３は矢印Ｆ方向に移動することができるようになる。従って、前面パネル３を筐体２から取り外すことができる。
【００６３】
この変形例にあっても、前面パネル３を筐体２に何ら治具を要しないで、また、前面パネル３と筐体２以外の部品を必要とせずに簡単に着脱することができる。
【００６４】
また、、上記したフレキシブルディスクドライブ装置１では、スライダー１６にイジェクトボタン１５を取り付けるのに、スライダー１６に係合突部２３を形成し、イジェクトボタン１５に係合孔３４を形成したが、スライダー１６に係合孔を形成し、イジェクトボタン１５に係合突部を形成するようにしても良い。
【００６５】
図１３はそのように構成した変形例を示し、スライダー１６のボタン支持片２２に係合孔３８が形成され、イジェクトボタン１５の連結部３３に係合突部３９が形成される。係合突部３９は側方から見て台形状を成し、水平部３９ａと先端側傾斜面３９ｂと基端側傾斜面３９ｃを有する。
【００６６】
そこで、イジェクトボタン１５をスライダー１６のボタン支持片２２に位置合わせした状態で矢印Ｒ方向に移動させて行くと、係合突部３９の先端側傾斜面３９ｂがボタン支持片２２の主片２２ａの前端に当接し該前端を滑って行くので、イジェクトボタン１５の連結部３３の上面部３３ａは矢印ＣＷ方向に撓んで、係合突部３９が主片２２ａの上面を滑って行く（図１３の一点鎖線参照）。
【００６７】
そして、係合突部３９が係合孔３８のところまで来ると両者３８、３９が係合し、これによって、イジェクトボタン１５がスライダー１６に支持される（図１３の二点鎖線参照）。
【００６８】
イジェクトボタン１５をスライダー１６から取り外すときは、イジェクトボタン１５を持って矢印Ｆ方向に力を加える。これによって、係合突部３９の基端側傾斜面３９ｃが係合孔３８の前側縁３８ａを滑って行こうとするので、イジェクトボタン１５の連結部３３の上面部３３ａが矢印ＣＷ方向に撓んで、係合突部３９と係合孔３８との係合が解かれ、イジェクトボタン１５は矢印Ｆ方向に移動することができるようになる。これによって、イジェクトボタン１５をスライダー１６から取り外すことができる。
【００６９】
この変形例にあっても、イジェクトボタン１５をスライダー１６に何ら治具を要しないで、また、イジェクトボタン１５とスライダー１６以外の部品を必要とすること無しに、簡単に着脱することができる。
【００７０】
なお、上記した実施の形態及び変形例に示した各部の形状及び構造は、何れも本発明を実施するに際して行う具体化のほんの一例を示したものにすぎず、これらによって本発明の技術的範囲が限定的に解釈されることがあってはならないものである。
【００７１】
【発明の効果】
以上に記載したところから明らかなように、本発明記録媒体ドライブ装置は、筐体内に記録媒体に対する信号の書き込みを行う信号書き込み手段及び／又は信号の読取を行う信号読取手段を備え、上記筐体の前面が記録媒体の筐体に対する挿脱を行う挿脱口を有する前面パネルによって覆われた記録媒体ドライブ装置であって、上記前面パネルは上記筐体に係合によって着脱自在に保持され、上記パネルを筐体の方に移動させることによって上記係合が成されると共に、上記前面パネルを筐体から離す方向に移動させる力は上記係合を解除する方向に作用するように構成されたことを特徴とする。
【００７２】
従って、本発明記録媒体ドライブ装置にあっては、前面パネルを筐体の方に移動させるだけで前面パネルと筐体との係合が成され、前面パネルを筐体から離す方向に移動させると、前面パネルと筐体との係合が解除される。そのため、治具を使用すること無しに、また、前面パネルと筐体以外の部品を使用すること無しに、簡単に前面パネルを筐体に着脱することができ、所望に応じて前面パネルを交換することが可能になる。
【００７３】
請求項２に記載した発明にあっては、上記係合は前面パネルと筐体の一方に設けられた係合孔と他方に設けられた係合突起との凹凸嵌合によって成され、上記係合突起又は係合孔の開口縁には前面パネルを筐体から離す方向に移動させる力によって係合突起又は係合孔を係合孔又は係合突起から離間させる方向に移動させる傾斜面が形成されたので、治具を使用すること無しに、また、前面パネルと筐体以外の部品を使用すること無しに、簡単に前面パネルの筐体への着脱を為す構造を容易に構成することができる。
【００７４】
請求項３に記載した発明にあっては、上記筐体内に前方から押し込まれることによって上記筐体内に装着された記録媒体を上記挿脱口から排出させるイジェクト動作を誘発するスライダーを備え、上記スライダーに係合によって着脱自在に取り付けられ上記前面パネルから前方に突出したイジェクトボタンを備え、上記イジェクトボタンをスライダーの方に移動させることによって上記係合が成されると共に、上記イジェクトボタンをスライダーから離す方向に移動させる力は上記係合を解除する方向に作用するように構成されたので、イジェクトボタンのスライダーへの着脱を、何ら治具を使用すること無しに、また、イジェクトボタンとスライダー以外の部品を必要とすること無しに、簡単に行うことができ、所望に応じてイジェクトボタンを交換することが可能になる。
【００７５】
請求項４に記載した発明にあっては、上記係合はイジェクトボタンとスライダーの一方に設けられた係合孔と他方に設けられた係合突部との凹凸嵌合によって成され、上記係合突部又は係合孔の開口縁にはイジェクトボタンをスライダーから離す方向に移動させる力によって係合突部又は係合孔を係合孔又は係合突部から離間させる方向に移動させる傾斜面が形成されたので、治具を使用すること無しに、また、イジェクトボタンとスライダー以外の部品を使用すること無しに、簡単にイジェクトボタンのスライダーへの着脱を為す構造を容易に構成することができる。
【図面の簡単な説明】
【図１】図面は本発明記録媒体ドライブ装置の実施の形態を示すものであり、本図は記録媒体ドライブ装置を記録媒体カートリッジと共に示す斜視図である。
【図２】前面パネルの一方の側部の筐体との係合を解除した状態を示す要部の斜視図である。
【図３】前面パネルを筐体から取り外した状態を示す要部の斜視図である。
【図４】記録媒体を挿脱する機構の要部を示す分解斜視図である。
【図５】前面パネルの筐体への着脱の様子を示す要部の拡大断面図である。
【図６】前面パネルの筐体への着脱方法の別の例を示す要部の拡大断面図である。
【図７】イジェクトボタンのスライダーへの着脱の様子を示す要部の拡大断面図である。
【図８】イジェクトボタンのスライダーへの着脱の様子を示す要部の平面図である。
【図９】図１０及び図１１と共に記録媒体カートリッジの記録媒体ドライブ装置への装着からイジェクトまでの動作を説明するための要部の断面図であり、本図は記録媒体カートリッジを記録媒体ドライブ装置に途中まで挿入した状態を示すものである。
【図１０】記録媒体カートリッジがカートリッジホルダーの奥まで挿入された瞬間の状態を示すものである。
【図１１】記録媒体カートリッジが記録媒体ドライブ装置に装着された状態を示すものである。
【図１２】筐体と前面パネルとの係合構造の変形例を示す要部の断面図である。
【図１３】スライダーとイジェクトボタンとの係合構造の変形例を示す要部の断面図である。
【符号の説明】
１…フレキシブルディスクドライブ装置（記録媒体ドライブ装置）、２…筐体、３…前面パネル、４…挿脱口、１２…係合突起、１２ｂ…傾斜面、１３…係合孔、１４ａ…フレキシブルディスク（記録媒体）、１５…イジェクトボタン、１６…スライダー、２３…係合突部、２３ｃ…後側傾斜面（傾斜面）、３４…係合孔、３６…係合突起、３６ｂ…後端側傾斜面（傾斜面）、３７…係合孔、３８…係合孔、３９…係合突部、３９ｃ…基端側傾斜面（傾斜面）
【図１】
2004145936.tif 000003
【図２】
2004145936.tif 000004
【図３】
2004145936.tif 000005
【図４】
2004145936.tif 000006
【図５】
2004145936.tif 000007
【図６】
2004145936.tif 000008
【図７】
2004145936.tif 000009
【図８】
2004145936.tif 000010
【図９】
2004145936.tif 000011
【図１０】
2004145936.tif 000012
【図１１】
2004145936.tif 000013
【図１２】
2004145936.tif 000014
【図１３】
2004145936.tif 000015